(57)【要約】【課題】単色画像形成時に一部の像保持体からベルトが離隔する画像形成装置において、ベルトに供給されてくる用紙の搬送経路を曲げるための手段を不要とすることを目的とする。【解決手段】画像形成装置において、一列に配列された複数の像保持体、像保持体に沿って延在するベルト、Ｋ色用像保持体側に配置された駆動ロールを含む複数の支持ロール、および、カラー画像形成モードにおいてベルトが複数の像保持体に接触し、モノクロ画像形成モードにおいてベルトが複数の像保持体のうちのＫ色用像保持体にのみ接触するとともに他の像保持体から離間するようにベルトを傾動させるベルト傾動駆動部と、モノクロ画像形成モードでは、カラー画像形成モードにおける第１の位置よりもベルトの搬送方向における下流側の第２の位置で用紙を押さえ付ける用紙押さえ部とを備えたことを特徴とする。【選択図】        図３
2009069649.tif 000002
【特許請求の範囲】
【請求項１】
一端に配置された、Ｋ色のトナー像を保持するＫ色用像保持体を含む、一列に配列された互いに異なる色のトナー像を保持する複数の像保持体、
前記複数の像保持体に沿って延在し、用紙を該複数の像保持体に沿った経路上を搬送するベルト、
前記ベルトが架け渡され該ベルトを駆動する、前記Ｋ色用像保持体側に配置された駆動ロールを含む複数の支持ロール、
前記複数の像保持体それぞれに前記ベルトを挟んで対向する複数の転写ロール、および
複数色トナー像からなるカラー画像を形成するカラー画像形成モードにおいて前記ベルトが前記複数の像保持体に接触し、Ｋ色トナー像からなるモノクロ画像を形成するモノクロ画像形成モードにおいて前記ベルトが前記複数の像保持体のうちの前記Ｋ色用像保持体にのみ接触するとともに他の像保持体から離間するように前記ベルトを傾動させるベルト傾動駆動部と、
前記ベルトに向かって供給されてくる用紙を該ベルトに押さえ付け、前記モノクロ画像形成モードでは、前記カラー画像形成モードにおける第１の位置よりも該ベルトの搬送方向における下流側の第２の位置で用紙を押さえ付ける用紙押さえ部とを備えたことを特徴とする画像形成装置。
【請求項２】
前記第１の位置が、前記ベルトを前記支持ロールのうちの前記搬送方向における最上流側に配置された支持ロールとの間に挟む位置であって、
前記第２の位置が、前記ベルトに向かって用紙が供給されてくる供給経路と該ベルトが交わる位置よりも前記搬送方向における下流側、かつ、前記像保持体のうち、搬送方向における最上流側に配置された像保持体よりも前記搬送方向における上流側にあることを特徴とする請求項１記載の画像形成装置。
【請求項３】
前記用紙押さえ部が、前記用紙を帯電させることによって該用紙を前記ベルトに密着させる帯電ロールと、
前記帯電ロールを、前記カラー画像形成モードでは前記第１の位置に移動させ、前記モノクロ画像形成モードでは前記第２の位置に移動させる帯電ロール移動機構とを備えたものであることを特徴とする請求項１または２記載の画像形成装置。
【請求項４】
前記用紙押さえ部が、前記第１の位置で用紙を押さえ付ける第１のロールと、
前記モノクロ画像形成モードでは前記第１のロールの前記ベルトとは反対の側を通過した用紙を前記第２の位置で押さえ付ける第２のロールとを備えたものであることを特徴とする請求項１または２記載の画像形成装置。
【請求項５】
少なくとも前記第２のロールが、前記用紙を帯電させることによって該用紙を前記ベルトに密着させる帯電ロールであることを特徴とする請求項４記載の画像形成装置。
【請求項６】
一端に配置された、Ｋ色のトナー像を保持するＫ色用像保持体を含む、一列に配列された互いに異なる色のトナー像を保持する複数の像保持体、
前記複数の像保持体に沿って延在し、用紙を該複数の像保持体に沿った経路上を搬送するベルト、
前記ベルトが架け渡され該ベルトを駆動する、前記Ｋ色用像保持体側に配置された駆動ロールを含む複数の支持ロール、
前記複数の像保持体それぞれに前記ベルトを挟んで対向する複数の転写ロール、および
複数色トナー像からなるカラー画像を形成するカラー画像形成モードにおいて前記ベルトが前記複数の像保持体に接触し、Ｋ色トナー像からなるモノクロ画像を形成するモノクロ画像形成モードにおいて前記ベルトが前記複数の像保持体のうちの前記Ｋ色用像保持体にのみ接触するとともに他の像保持体から離間するように前記ベルトを傾動させるベルト傾動駆動部と、
前記ベルトに向けて用紙を供給する、用紙の供給方向と交わる方向に一列に並んで接した少なくとも３つの供給ロールを有し、前記カラー画像形成モードでは３つの供給ロールのうち前記像保持体の側に配置された２つの供給ロールの間から用紙を供給し、前記モノクロ画像形成モードでは、前記像保持体から離れた側に配置された２つの供給ロールの間から用紙を供給する用紙供給部とを備えたことを特徴とする画像形成装置。
【請求項７】
前記３つの供給ロールのうち両側にある２つの供給ロールと中央にある１つの供給ロールのいずれか一方の供給ロールは金属製であり、他方の供給ロールは弾性を有する樹脂製であることを特徴とする請求項６記載の画像形成装置。
【請求項８】
前記３つの供給ロールのそれぞれは、前記モノクロ画像形成モードでは前記カラー画像形成モードにおける回転方向とは逆向きの回転方向に回転するものであることを特徴とする請求項６または７記載の画像形成装置。
【請求項９】
前記３つの供給ロールは、該３つの供給ロールのうちの、前記カラー画像形成モードで用紙の供給を担当する２つの供給ロールが互いに接する第１の位置から、該カラー画像形成モードにおける、前記ベルトに沿った経路上の前記搬送方向最上流側に配置された転写ロールまでの距離と、該３つの供給ロールのうちの、前記モノクロ画像形成モードで用紙の供給を担当する２つの供給ロールが互いに接する第２の位置から、該モノクロ画像形成モードにおける該転写ロールまでの距離とが略等しい位置に配置されたものであることを特徴とする請求項６から８いずれか１項記載の画像形成装置。
【発明の詳細な説明】
【技術分野】
【０００１】
本発明は、画像形成装置に関する。
【背景技術】
【０００２】
従来、電子写真方式の複写機やプリンタ等に代表される画像形成装置として、互いに異なる色のトナー像を保持する複数の像保持体を備え、これら複数の像保持体が保持するトナー像を最終的に用紙に転写する、いわゆるタンデム方式のカラー画像形成装置が知られている。
【０００３】
特許文献１には、Ｋ（ブラック）、Ｃ（シアン）、Ｍ（マゼンタ）、Ｙ（イエロー）の各色に対応した像保持体としての複数の感光体ドラムと、この感光体ドラムに対向するように配設された、用紙を搬送するベルトとを備えた画像形成装置が示されている。この画像形成装置では、ベルトは駆動ロールと従動ロールによって保持されており、供給ロールから供給されてくる用紙を、感光体ドラムを経た経路に沿って従動ロールの側からから駆動ロールの側に向かって搬送する。駆動ロールと従動ロールはベルトユニットフレームに支持されている。このベルトユニットフレームは、駆動ロールの側に近いＫ色の感光体ドラムの回転軸を中心として傾動自在に保持されている。Ｋ色による単色画像形成において他の色の感光体ドラムの動作を停止させて消耗を抑えるため、ベルトユニットフレームは、カラー画像形成時にはベルトがすべての感光体ドラムに接触し、単色画像形成時にはベルトがＫ色の感光体ドラムのみに接触する位置に回動する。
【特許文献１】特開平６−２５８９１４号公報（第４−５頁、図１）
【発明の開示】
【発明が解決しようとする課題】
【０００４】
ベルトユニットフレームが回動すると、中心から離れた部分ほど位置の変化が大きく、ベルトのうち従動ロール側の部分が大きく移動する。移動するベルトの位置に合わせ、供給ロールからベルトに供給されてくる用紙の経路を変えるため、供給ロールとベルトの間に用紙の経路を曲げる用紙案内部材等を配置することが考えられる。しかし、供給ロールから供給されてくる用紙の向きを用紙案内部材等によって強制的に変えると、供給ロールから感光体ドラムや転写ロールまでの経路距離が著しく変動する。また、供給ロールおよびベルト間の限られた空間で用紙の向きを変えると用紙が用紙案内部材に強く擦れ走行音が増大する。また用紙の向きによって負荷が変動し、ベルト等の移動速度が変動するおそれもある。
【０００５】
本発明は、上記事情に鑑み、単色画像形成時に一部の像保持体からベルトが離隔する画像形成装置において、ベルトに供給されてくる用紙の搬送経路を曲げるための手段を不要とすることを目的とする。
【課題を解決するための手段】
【０００６】
上記目的を達成する本発明の画像形成装置のうちの第１の画像形成装置は、一端に配置された、Ｋ色のトナー像を保持するＫ色用像保持体を含む、一列に配列された互いに異なる色のトナー像を保持する複数の像保持体、
上記複数の像保持体に沿って延在し、用紙をこの複数の像保持体に沿った経路上を搬送するベルト、
上記ベルトが架け渡されこのベルトを駆動する、上記Ｋ色用像保持体側に配置された駆動ロールを含む複数の支持ロール、
上記複数の像保持体それぞれに上記ベルトを挟んで対向する複数の転写ロール、および
複数色トナー像からなるカラー画像を形成するカラー画像形成モードにおいて上記ベルトが上記複数の像保持体に接触し、Ｋ色トナー像からなるモノクロ画像を形成するモノクロ画像形成モードにおいて上記ベルトが上記複数の像保持体のうちの上記Ｋ色用像保持体にのみ接触するとともに他の像保持体から離間するように上記ベルトを傾動させるベルト傾動駆動部と、
上記ベルトに向かって供給されてくる用紙をこのベルトに押さえ付け、上記モノクロ画像形成モードでは、上記カラー画像形成モードにおける第１の位置よりもこのベルトの搬送方向における下流側の第２の位置で用紙を押さえ付ける用紙押さえ部とを備えたことを特徴とする。
【０００７】
本発明の第１の画像形成装置によれば、モノクロ画像形成モードでは、カラー画像形成モードにおける位置よりも下流側の第２の位置で用紙が押さえ付けられるので、ベルトに向かって供給されてくる用紙の搬送経路を曲げる必要がない。またベルトの直前で用紙の搬送経路を曲げるための用紙案内部材が不要であり走行音が低減する。
【０００８】
ここで、上記本発明の第１の画像形成装置において、上記第１の位置が、上記ベルトを上記支持ロールのうちの上記搬送方向における最上流側に配置された支持ロールとの間に挟む位置であって、
上記第２の位置が、上記ベルトに向かって用紙が供給されてくる供給経路とこのベルトが交わる位置よりも上記搬送方向における下流側、かつ、上記像保持体のうち、搬送方向における最上流側に配置された像保持体よりも上記搬送方向における上流側にあることが好ましい。
【０００９】
用紙が先にベルトに接触してから用紙押さえ部によってベルトに押さえ付けられるので、用紙が用紙押さえ部に突き当てられる構成に比べ移動速度の変動が抑えられる。
【００１０】
また、上記本発明の第１の画像形成装置において、上記用紙押さえ部が、上記用紙を帯電させることによってこの用紙を上記ベルトに密着させる帯電ロールと、
上記帯電ロールを、上記カラー画像形成モードでは上記第１の位置に移動させ、上記モノクロ画像形成モードでは上記第２の位置に移動させる帯電ロール移動機構とを備えたものであることが好ましい。
【００１１】
帯電ロールを移動させることによって、第１の位置および第２の位置で用紙を押さえ付ける部材を１つの帯電ロールで兼用できる。
【００１２】
また、上記本発明の第１の画像形成装置において、上記用紙押さえ部が、上記第１の位置で用紙を押さえ付ける第１のロールと、
上記モノクロ画像形成モードでは上記第１のロールの上記ベルトとは反対の側を通過した用紙を上記第２の位置で押さえ付ける第２のロールとを備えたものであることが好ましい。
【００１３】
第１のロールと第２のロールを備えることによって、ロール移動機構を省略して信頼性を高めるとともに、画像の位置決めにより高い精度が必要なカラー画像形成モードでは２本のロールによって用紙を押さえ付ける。
【００１４】
また、上記本発明の第１の画像形成装置において、少なくとも上記第２のロールが、上記用紙を帯電させることによってこの用紙を上記ベルトに密着させる帯電ロールであることが好ましい。
【００１５】
カラー画像形成モードおよびモノクロ画像形成モードの双方で用紙を押さえ付ける第２のロールが帯電ロールであれば、双方のモードで用紙をベルトに密着させることができる。
【００１６】
また、上記目的を達成する本発明の画像形成装置のうちの第２の画像形成装置は、一端に配置された、Ｋ色のトナー像を保持するＫ色用像保持体を含む、一列に配列された互いに異なる色のトナー像を保持する複数の像保持体、
上記複数の像保持体に沿って延在し、用紙をこの複数の像保持体に沿った経路上を搬送するベルト、
上記ベルトが架け渡されこのベルトを駆動する、上記Ｋ色用像保持体側に配置された駆動ロールを含む複数の支持ロール、
上記複数の像保持体それぞれに上記ベルトを挟んで対向する複数の転写ロール、および
複数色トナー像からなるカラー画像を形成するカラー画像形成モードにおいて上記ベルトが上記複数の像保持体に接触し、Ｋ色トナー像からなるモノクロ画像を形成するモノクロ画像形成モードにおいて上記ベルトが上記複数の像保持体のうちの上記Ｋ色用像保持体にのみ接触するとともに他の像保持体から離間するように上記ベルトを傾動させるベルト傾動駆動部と、
上記ベルトに向けて用紙を供給する、用紙の供給方向と交わる方向に一列に並んで接した少なくとも３つの供給ロールを有し、上記カラー画像形成モードでは３つの供給ロールのうち上記像保持体の側に配置された２つの供給ロールの間から用紙を供給し、上記モノクロ画像形成モードでは、上記像保持体から離れた側に配置された２つの供給ロールの間から用紙を供給する用紙供給部とを備えたことを特徴とする。
【００１７】
本発明の第２の画像形成装置では、３つの供給ロールから、カラー画像形成モードとモノクロ画像形成モードとで用紙の供給を担う２つを選ぶことによって、用紙の供給位置をベルトの傾動に合わせて調整することができる。このためベルトに供給される用紙の搬送経路を曲げるための用紙ガイドを不要となる。また、ベルトに対する用紙の進入姿勢を安定化して各色の画像のずれを抑えることができる。
【００１８】
また、上記本発明の第１の画像形成装置において、上記３つの供給ロールのうち両側にある２つの供給ロールと中央にある１つの供給ロールのいずれか一方の供給ロールは金属製であり、他方の供給ロールは弾性を有する樹脂製であることが好ましい。
【００１９】
互いに接する供給ロールの一方を金属製とし他方を樹脂製とすることで摩耗を抑えることができる。
【００２０】
また、上記本発明の第１の画像形成装置において、上記３つの供給ロールのそれぞれは、上記モノクロ画像形成モードでは上記カラー画像形成モードにおける回転方向とは逆向きの回転方向に回転するものであることが好ましい。
【００２１】
供給ロールの回転方向を変えることで、供給ロールを互いに離すための機構等を用いることなく用紙の供給位置を変えることができる。
【００２２】
また、上記本発明の第１の画像形成装置において、上記３つの供給ロールは、この３つの供給ロールのうちの、上記カラー画像形成モードで用紙の供給を担当する２つの供給ロールが互いに接する第１の位置から、このカラー画像形成モードにおける、上記ベルトに沿った経路上の上記搬送方向最上流側に配置された転写ロールまでの距離と、この３つの供給ロールのうちの、上記モノクロ画像形成モードで用紙の供給を担当する２つの供給ロールが互いに接する第２の位置から、このモノクロ画像形成モードにおけるこの転写ロールまでの距離とが略等しい位置に配置されたものであることが好ましい。
【００２３】
３つのロールをこのように配置することで、各色の画像の位置決め精度を高めることができる。
【発明の効果】
【００２４】
以上説明したように、本発明によれば、ベルトに供給されてくる用紙の搬送経路を曲げるための手段を不要とした画像形成装置が実現する。
【発明を実施するための最良の形態】
【００２５】
図１は、本発明の画像形成装置の第１実施形態であるプリンタの概略構成を示す図である。
【００２６】
図１に示すプリンタ１は、媒体にカラー画像またはモノクロ画像のいずれも形成することができるカラー画像形成装置であり、互いに異なるＫ（ブラック）、Ｃ（シアン）、Ｍ（マゼンタ）、Ｙ（イエロー）各色のトナー像を保持する４つの感光体ドラム１１ｋ，１１ｃ，１１ｍ，１１ｙと、これらの感光体ドラム１１ｋ，１１ｃ，１１ｍ，１１ｙに沿って延在し、媒体としての用紙を搬送する搬送ベルト２１とを有している。感光体ドラム１１ｋ，１１ｃ，１１ｍ，１１ｙが本発明にいう像保持体の一例に相当し、搬送ベルト２１が本発明にいうベルトの一例に相当する。感光体ドラム１１ｋ，１１ｃ，１１ｍ，１１ｙは、プリンタ１に着脱可能な４つの画像形成ユニット１０ｋ，１０ｃ，１０ｍ，１０ｙにそれぞれ内蔵されている。搬送ベルト２１はベルトユニット２０に取り付けられている。また、プリンタ１には、用紙が収容される用紙収容容器５１、用紙を搬送する搬送ロール５４、用紙の搬送タイミングを調整する給紙時期調整部材としてのレジストレーションロール５５、用紙を搬送ベルト２１に密着させる吸着ロール７１、用紙に転写されたトナー像を定着する定着ロール５８、画像が形成された用紙を排出する排出ロール５６、および用紙が排出される用紙排出部５２も備えられている。
【００２７】
４つの画像形成ユニット１０ｋ，１０ｃ，１０ｍ，１０ｙは、いずれも同じ構造を有しており、収容したトナーの色のみ異なる。各色の画像形成ユニット１０ｋ，１０ｃ，１０ｍ，１０ｙをＫ色の画像形成ユニット１０ｋに代表させて説明すると、画像形成ユニット１０ｋは、Ｋ色のトナー像を保持するＫ色用感光体ドラム１１ｋの他に、各感光体ドラムの表面を一様に帯電させる帯電ロール１２ｋ、トナーが収容された現像剤収容部１３ｋ、現像剤収容部１３ｋから現像剤搬送部１４ｋを経由して搬送されたトナーで感光体ドラム１１ｋ上の静電潜像を現像しトナー像を形成する現像器１５ｋ、トナー像を用紙に転写させた後で感光体ドラム１１ｋを除電する除電ロール１６ｋ、および、感光体ドラム上に残留した残留トナーを除去するクリーニングブレード１７ｋを備えている。これらの感光体ドラム１１ｋ、帯電ロール１２ｋ、現像剤収容部１３ｋ、現像剤搬送部１４ｋ、現像器１５ｋ、除電ロール１６ｋ、およびクリーニングブレード１７ｋは、ユニットの筐体としての感光体ハウジング１８ｋに支持されている。
【００２８】
各色の感光体ドラム１１ｋ，１１ｃ，１１ｍ，１１ｙは、Ｋ色用感光体ドラム１１ｋを列の一端として一列に配列されている。Ｃ色用感光体ドラム１１ｃがＫ色用感光体ドラム１１ｋに隣接して配置されている。
【００２９】
プリンタ１には、プリンタ各部の動作を制御する制御部３１、画像情報の処理を行う画像処理部３２、書込駆動回路３３、そして、感光体ドラム１１ｋ，１１ｃ，１１ｍ，１１ｙ上にレーザ光Ｌを照射して各感光体ドラム上に静電潜像を形成する潜像形成装置３４も備えられている。制御部３１は、外部の図示しない画像情報送信装置等から供給された画像情報や、図示しない操作部からの操作情報に基づき、モノクロ画像形成モードでＫ色トナー像からなるモノクロ画像を形成するか、または、カラー画像形成モードで画像を形成するかを判別する。
【００３０】
制御部３１は、カラー画像形成モードではレーザ光Ｌｋ，Ｌｃ，Ｌｍ，Ｌｙを４つの感光体ドラム１１ｋ，１１ｃ，１１ｍ，１１ｙに対して照射させる。この一方、モノクロ画像形成モードでは、画像形成ユニット１０ｃ，１０ｍ，１０ｙの消耗および電力消費を抑えるため、Ｋ色用感光体ドラム１１ｋのみに対してレーザ光Ｌｋを照射させるとともに、Ｋ色以外の画像形成ユニット１０ｃ，１０ｍ，１０ｙの動作を停止させる。
【００３１】
ベルトユニット２０は、搬送ベルト２１の他に、搬送ベルト２１が架け渡された一対の支持ロール２２，２３、支持ロール２２，２３を回転自在に支持するユニットフレーム２４、搬送ベルト２１に付着したトナーを収容する廃トナー収容部２５、および両面印刷時に用紙の移動を案内する用紙案内部２６を有している。２つの支持ロール２２，２３は、搬送ベルト２１を駆動する駆動ロール２２と従動ロール２３とからなる。以降、支持ロール２２を駆動ロール２２とも称し、支持ロール２３を従動ロール２３とも称する。駆動ロール２２はＫ色用感光体ドラム１１ｋ側に配置されており、従動ロール２３はＹ色用感光体ドラム１１ｙ側に配置されている。搬送ベルト２１は駆動ロール２２によって矢印Ｄ１２で示す向きに循環移動し、用紙を感光体ドラム１１ｙ，１１ｍ，１１ｃ，１１ｋに沿った経路上を搬送する。循環移動する搬送ベルト２１のうち、感光体ドラム１１ｙ，１１ｍ，１１ｃ，１１ｋの側で従動ロール２３の側から駆動ロール２２の側に向かって用紙を搬送する向きを搬送方向Ｄ１２とする。すなわち、従動ロール２３は搬送方向Ｄ１２における最上流側に配置されている。
【００３２】
ユニットフレーム２４には、各感光体ドラム上に形成されたトナー像を転写するための転写ロール４０ｋ，４０ｃ，４０ｍ，４０ｙも取り付けられている。転写ロール４０ｋ，４０ｃ，４０ｍ，４０ｙのそれぞれは導電性の樹脂材料で形成されている。転写ロール４０ｋ，４０ｃ，４０ｍ，４０ｙは一列に配列されており、対応する色の感光体ドラム１１ｋ，１１ｃ，１１ｍ，１１ｙに搬送ベルト２１を挟んで対向する位置に設けられている。Ｋ色用転写ロール４０ｋは列の一端に配置され、搬送ベルト２１の搬送方向Ｄ１２における最下流側に配置されている。隣接転写ロールとしてのＣ色用転写ロール４０ｃはＫ色用転写ロール４０ｋに隣接して配置されている。搬送ベルト２１の搬送方向Ｄ１２における最上流側には、Ｙ色用転写ロール４０ｙが配置されている。転写ロール４０ｋ，４０ｃ，４０ｍ，４０ｙは、搬送ベルト２１を、この搬送ベルト２１が接触する感光体ドラム１１ｋ，１１ｃ，１１ｍ，１１ｙに押し当てるように付勢されている。また、従動ロール２３とＹ色用転写ロール４０ｙとの間には、バックアップロール４５が設けられている。バックアップロール４５は搬送ベルト２１に接する位置に配置されている。
【００３３】
またユニットフレーム２４には、搬送方向Ｄ１２における最上流側のＹ色用感光体ドラム１１ｙおよびＹ色用転写ロール４０ｙよりも上流に、用紙を搬送ベルト２１に密着させるための吸着ロール７１が設けられている。吸着ロール７１は用紙を帯電させることによって搬送ベルト２１に吸着させる。吸着ロール７１が本発明にいう帯電ロールの一例に相当する。吸着ロール７１は、搬送ベルト２１よりも感光体ドラム１１ｋ〜１１ｙの側に設けられており、搬送ベルト２１に沿って移動自在に設けられている。吸着ロール７１の移動機構の詳細については後述する。
【００３４】
図１に示すプリンタ１は、画像形成装置本体Ｕ１と、この画像形成装置本体Ｕ１の下端に設けられた回転軸Ｒを中心として回転することにより開閉可能な開閉部材Ｕ２とを有している。
【００３５】
図２は、図１に示すプリンタの開閉部材が開いた状態を示す図である。
【００３６】
開閉部材Ｕ２は、画像形成装置本体Ｕ１に、図１に示す閉塞位置と図２に示す開放位置との間で移動自在に支持されている。ベルトユニット２０は開閉部材Ｕ２側に装着されており、図２に示す開放位置では、プリンタ１内部の搬送ベルト２１および画像形成ユニット１０ｋ，１０ｃ，１０ｍ，１０ｙがプリンタ１の外部に露出し、部品の交換や紙詰まりした用紙の除去が可能となる。図１に示す閉塞位置では開閉部材Ｕ２が画像形成装置本体Ｕ１に固定され画像形成動作が実行可能となる。
【００３７】
図３は、図１に示すプリンタの開閉部材およびベルトユニットを示す斜視図である。図３には、開閉部材Ｕ２を画像形成装置本体Ｕ１から取り外した状態が示されている。
【００３８】
開閉部材Ｕ２には、画像形成装置本体Ｕ１に取り付けられるための取付孔Ｕ２ｈが形成されている。ベルトユニット２０を構成するユニットフレーム２４、廃トナー収容部２５、および用紙案内部２６は互いに固定され一体となっている。駆動ロール２２および従動ロール２３（図１参照）は、ユニットフレーム２４の上下両端部に回転自在に保持されている。駆動ロール２２の回転軸２２ａはユニットフレーム２４を貫通し両端が突出している。以降、駆動ロール２２が延在する方向を左右方向とする。回転軸２２ａの一端には、画像形成装置本体Ｕ１に設けられた駆動ギア６５（図４参照）からの回転力を伝達するための歯車２２ｐが設けられている。廃トナー収容部２５の従動ロール２３の側には左右に向かって突出した突起２５ａが設けられており、開閉部材Ｕ２に形成された切欠きＵ２ｂに入り込んでいる。ユニットフレーム２４は、従動ロール２３の側で切欠きＵ２ｂに沿って移動自在となっている。ユニットフレーム２４に設けられた吸着ロール７１は、搬送ベルト２１に向かって用紙を押さえ付ける用紙押さえ部７０を構成している。本実施形態の用紙押さえ部７０は、吸着ロール７１の他に、吸着ロール７１を移動させる移動機構としてのソレノイド７２およびリンク部材７３を有している。
【００３９】
図４は、図１に示すプリンタの支持フレームを示す斜視図である。図４には、画像形成装置本体Ｕ１の構造を支持する支持フレームＵ１Ｆが、画像形成ユニット１０ｋ，１０ｃ，１０ｍ，１０ｙとともに示されている。
【００４０】
画像形成ユニット１０ｋ，１０ｃ，１０ｍ，１０ｙは支持フレームＵ１Ｆに一列に装着されている。支持フレームＵ１Ｆの下端には回転軸Ｒが設けられている。回転軸Ｒが開閉部材Ｕ２（図３）の取付孔Ｕ２ｈに嵌り込むことによって、開閉部材Ｕ２が支持フレームＵ１Ｆに回転自在に支持される。また、支持フレームＵ１Ｆの両側面には、駆動ロール２２の回転軸２２ａが嵌り込む軸受Ｕ１Ｈが孔に沿って形成されており、軸受Ｕ１Ｈの外側には、歯車２２ｐと係合して駆動ロール２２に駆動力を伝達する駆動ギア６５、およびこの駆動ギア６５を回転駆動するモータ６６が設けられている。
【００４１】
図３の開閉部材Ｕ２が図４の支持フレームＵ１Ｆに取り付けられた状態で閉塞位置（図１参照）に移動すると、支持フレームＵ１Ｆすなわち画像形成装置本体Ｕ１と開閉部材Ｕ２とが互いに固定され一体となる。このとき、駆動ロール２２の回転軸２２ａが軸受Ｕ１Ｈにはまり込む。この結果、図１に示す閉塞位置では、ユニットフレーム２４を含むベルトユニット２０が、駆動ロール２２の回転軸２２ａを中心として画像形成装置本体Ｕ１に支持されることとなる。また、閉塞位置では駆動ギア６５（図４）が歯車２２ｐ（図３）と係合し、モータ６６からの駆動力が駆動ロール２２に伝達される。
【００４２】
支持フレームＵ１Ｆには、Ｍ色用画像形成ユニット１０ｍとＹ色用画像形成ユニット１０ｙとの間の位置に２つのカム６１ａ，６１ｂが設けられ、またこのカム６１ａ，６１ｂを回転駆動するモータ６２が設けられている。カム６１ａ，６１ｂは、閉塞位置（図１）でユニットフレーム２４の従動ロール２３側の部分に突き当てられる。モータ６２には、カム６１ａ，６１ｂの回転角度を検出する図示しないセンサが設けられており、制御部３１（図１）の制御に応じて所定の範囲の角度でカム６１ａ，６１ｂを回転させる。また、ベルトユニット２０と開閉部材Ｕ２との間には、ベルトユニット２０を画像形成ユニット１０ｙ，１０ｍ，１０ｃ，１０ｋに向かって押し付ける図示しないスプリングが設けられている。閉塞位置においてカム６１ａ，６１ｂが回転すると、ベルトユニット２０は駆動ロール２２の回転軸２２ａを中心として傾動する。ベルトユニット２０の傾動によって搬送ベルト２１も駆動ロール２２の回転軸２２ａを中心として傾動する。ユニットフレーム２４を含むベルトユニット２０、およびカム６１ａ，６１ｂが、本発明にいうベルト傾動駆動部の一例に相当する。
【００４３】
続いて、図３を参照して説明した吸着ロール７１およびその駆動機構の詳細を説明する。
【００４４】
図５は、図３に示すユニットフレームの外観を示す正面図である。図５には、ユニットフレームのうち左右両端側の部分とユニットフレームに取り付けられた部品とが示されている。図６は、図５に示すユニットフレームの側面を示す図であり、図７は、図６に示すソレノイドおよびリンク部材の部分を拡大した拡大斜視図である。また、図８は、モノクロ画像形成モードにおける吸着ロールの状態を示す拡大斜視図である。
【００４５】
図５〜図７に示すように、吸着ロール７１の回転軸７１ａは、ユニットフレーム２４に形成された円弧状のガイド孔２４ｈを突き抜け、ユニットフレーム２４の左右外側でリンク部材７３に取り付けられている。リンク部材７３の回転軸７３ｐを挟んだ反対側にはソレノイド７２が接続されている。ソレノイド７２が制御部３１の制御に応じて吸引動作すると、リンク部材７３が回転軸７３ｐを中心として回転し、吸着ロール７１がガイド孔２４ｈに沿って図５および図６に示す第１の位置Ｓ１に移動する。この逆に、ソレノイド７２が押出し動作を行うと、吸着ロール７１が図８に示す第２の位置Ｓ２に移動する。図５〜図７に示す第１の位置Ｓ１では、吸着ロール７１が従動ロール２３との間に搬送ベルト２１を挟み、図８に示す第２の位置Ｓ２では、吸着ロール７１がバックアップロール４５との間に搬送ベルト２１を挟む。第２の位置Ｓ２の設定については後述する。
【００４６】
図９は、カラー画像形成モードでの画像形成ユニット、ベルトユニットおよびカムの状態を示す図である。また、図１０は、モノクロ画像形成モードでの画像形成ユニット、ベルトユニットおよびカムの状態を示す図である。図９および図１０には、開閉部材Ｕ２の閉鎖状態（図１参照）における、画像形成ユニット１０ｋ，１０ｃ，１０ｍ，１０ｙとベルトユニット２０との位置関係が示されている。
【００４７】
ベルトユニット２０は、駆動ロール２２および従動ロール２３を回転自在に支持すると同時に、駆動ロール２２の回転軸２２ａを中心として傾動自在に支持されている。ベルトユニット２０は、カム６１ａ，６１ｂが回転することによって図９に示すカラーモード位置と図１０に示すモノクロモード位置との間で傾動する。これに伴って搬送ベルト２１も駆動ロール２２の回転軸２２ａを中心として傾動する。
【００４８】
カラー画像形成モードでは、ベルトユニット２０が図９に示す位置に傾動し、搬送ベルト２１が４つの感光体ドラム１１ｋ，１１ｃ，１１ｍ，１１ｙのすべてに接触させた状態になる。モノクロ画像形成モードでは、ベルトユニット２０が図１０に示す位置に傾動し、搬送ベルト２１がＫ色用感光体ドラム１１ｋにのみ接触させるとともに他の感光体ドラム１１ｃ，１１ｍ，１１ｙから離間した状態になる。
【００４９】
また、吸着ロール７１は、図９に示すカラー画像形成モードでは第１の位置Ｓ１に移動し、図１０に示すモノクロ画像形成モードでは、第１の位置よりも搬送方向Ｄ１２における下流側の第２の位置Ｓ２に移動する。上述した第２の位置Ｓ２は、搬送ベルト２１に向かってレジストレーションロール５５から用紙が供給されてくる供給経路Ｑ１と搬送ベルト２１が交わる位置Ｓ３よりも搬送方向Ｄ１２における下流側で、かつ、搬送方向Ｄ１２における最上流側に配置されたＹ色用感光体ドラム１１ｙよりも搬送方向Ｄ１２における上流側に設定されている。
【００５０】
ここで、図１に戻ってプリンタ１の動作を説明する。
【００５１】
プリンタ１に、例えば外部の図示しない画像情報送信装置等からカラー画像の画像情報が送信され、制御部３１がカラー画像形成モードで画像を形成すると判別した場合、画像処理部３２は、制御部３１を経由して供給された画像情報を各色の潜像形成用の画像情報に変換して書込駆動回路３３に出力する。書込駆動回路３３は、画像情報に応じて駆動信号を潜像形成装置３４に出力する。潜像形成装置３４は、駆動信号に応じたレーザ光Ｌｙ，Ｌｍ，Ｌｃ，Ｌｋを感光体ドラム１１ｋ，１１ｃ，１１ｍ，１１ｙに照射する。
【００５２】
感光体ドラム１１ｋ，１１ｃ，１１ｍ，１１ｙは矢印Ｄ１１で示す向きに回転し、帯電ロール１２ｋによって帯電され、レーザ光Ｌｙ，Ｌｃ，Ｌｍ，Ｌｙで走査されることによって画像情報に応じた静電潜像が形成される。この静電潜像がトナーで現像されることによってトナー像が形成される。
【００５３】
一方で、用紙収容容器５１から取り出された用紙Ｐは搬送ロール５４によって搬送され、感光体ドラム１１ｋ，１１ｃ，１１ｍ，１１ｙ上でのトナー像形成に応じたタイミングでレジストレーションロール５５から送り出される。用紙は、搬送ベルト２１に向かって供給経路Ｑ１に沿って送り出され、搬送ベルト２１に接触した後、第１の位置にある吸着ロール７１によって搬送ベルト２１に押付けられるとともに帯電させられ、搬送ベルト２１に吸着する。用紙は感光体ドラム１１ｋ，１１ｃ，１１ｍ，１１ｙと対応する転写ロール４０ｋ，４０ｃ，４０ｍ，４０ｙの間を、感光体ドラム１１ｋ，１１ｃ，１１ｍ，１１ｙと搬送ベルト２１とに挟まれながらＹ、Ｍ、Ｃ、Ｋの順に通過する。この間に、感光体ドラム１１ｋ，１１ｃ，１１ｍ，１１ｙに形成された各色のトナー像が転写ロール４０ｋ，４０ｃ，４０ｍ，４０ｙによって用紙に多重転写される。用紙に転写されたトナーは定着ロール５８によって加熱加圧され用紙上に定着する。このようにして、用紙にはカラー画像が形成され、排出ロール５６によって用紙排出部５２に排出される。用紙の両面に画像が形成される場合には、排出ロール５６が逆転し、用紙がベルトユニット２０の背後を経由して搬送され、表裏反転した状態で画像形成が再び行われる。
【００５４】
プリンタ１がモノクロ画像形成モードで動作する場合には電力消費および消耗を低減するため、４つの画像形成ユニット１０ｋ，１０ｃ，１０ｍ，１０ｙのうち画像形成に必要なＫ色用画像形成ユニット１０ｋのみが動作し、Ｋ色以外の画像形成ユニット１０ｃ，１０ｍ，１０ｙは動作を停止する。このとき、停止中の感光体ドラム１１ｃ，１１ｍ，１１ｙに搬送ベルト２１が接触すると摺擦によって傷が生じる。停止中の感光体ドラム１１ｃ，１１ｍ，１１ｙと搬送ベルト２１との摺擦を防ぐため、モノクロ画像形成モードではカム６１ａ，６１ｂ（図１０参照）が回転してユニットフレーム２４を図１０で示す位置に傾動させる。ユニットフレーム２４の傾動によって、搬送ベルト２１がＫ色用感光体ドラム１１ｋのみに接触し、他の感光体ドラム１１ｋとは十分なクリアランスをおいて離間する。また、吸着ロール７１が制御部３１の制御に応じて第１の位置Ｑ１（図９参照）から第２の位置Ｑ２（図１０参照）に移動する。図１０に示すモノクロ画像形成モードでは、レジストレーションロール５５から搬送ベルト２１向かって供給経路Ｑ１に沿って送り出された用紙は、供給経路Ｑ１と搬送ベルト２１が交わる位置Ｓ３で搬送ベルト２１に対し搬送ベルト２１の移動速度に影響しない程度の緩やかな角度を持った姿勢で接触した後、第２の位置Ｓ２にある吸着ロール７１によって搬送ベルト２１に押付けられるとともに帯電させられ、搬送ベルト２１に吸着する。搬送ベルト２１に吸着した用紙は、感光体ドラム１１ｋと対応する転写ロール４０ｋの間を、感光体ドラム１１ｋと搬送ベルト２１とに挟まれながら通過する。この間に、感光体ドラム１１ｋに形成されたＫ色のトナー像が転写ロール４０ｋによって用紙に転写される。このようにして、モノクロ画像形成モードでは、用紙にＫ色のモノクロ画像が形成される。
【００５５】
次に、本発明の第２実施形態について説明する。以下の第２実施形態の説明にあたっては、これまで説明してきた実施形態における各要素と同一の要素には同一の符号を付けて示し、前述の実施形態との相違点について説明する。
【００５６】
図１１は、本発明の第２実施形態のプリンタの開閉部材およびベルトユニットを示す斜視図である。
【００５７】
第２実施形態のプリンタは、搬送ベルト２１に向かって供給されてくる用紙を搬送ベルト２１に押さえ付ける用紙押さえ部２７０が抑えロール２７１および吸着ロール２７２の２つのロールを有している。本実施形態における抑えロール２７１は用紙の帯電機能を有していない。
【００５８】
抑えロール２７１は、従動ロール２３との間に搬送ベルト２１を挟む第１の位置Ｓ１に配置されており、吸着ロール２７２は、図１０を参照して説明した第２の位置Ｓ２に配置されている。抑えロール２７１が本発明にいう第１のロールの一例に相当し、吸着ロール２７２が本発明にいう第２のロールの一例に相当する。本実施形態では抑えロール２７１および吸着ロール２７２の位置はユニットフレーム２４に対して固定されおり、また、用紙押さえ部２７０には駆動機構が設けられていない点が第１実施形態と異なる。第２実施形態における他の点は第１実施形態と同じである。
【００５９】
図１２は、第２実施形態におけるカラー画像形成モードでの画像形成ユニット、ベルトユニットおよびカムの状態を示す図である。また、図１３は、第２実施形態におけるモノクロ画像形成モードでの画像形成ユニット、ベルトユニットおよびカムの状態を示す図である。
【００６０】
カラー画像形成モードでは、ベルトユニット２０が図１１に示す位置に傾動し、搬送ベルト２１が４つの感光体ドラム１１ｋ，１１ｃ，１１ｍ，１１ｙのすべてに接触させた状態になる。カラー画像形成モードでは、用紙は、レジストレーションロール５５から搬送ベルト２１に向かって供給経路Ｑ１に沿って供給される。用紙は、搬送ベルト２１に接触した後、第１の位置にある抑えロール２７１によって搬送ベルト２１に押付けられる。次に、第２の位置にある吸着ロール２７２によって搬送ベルト２１に押付けられるとともに帯電させられ、搬送ベルト２１に密着する。カラー画像形成モードでは、用紙が抑えロール２７１および吸着ロール２７２からなる２つのロールによって搬送ベルト２１に押付けられる。
【００６１】
一方、モノクロ画像形成モードでは、ベルトユニット２０が図１３に示す位置に傾動し、搬送ベルト２１がＫ色用感光体ドラム１１ｋにのみ接触させるとともに他の感光体ドラム１１ｃ，１１ｍ，１１ｙから離間した状態になる。モノクロ画像形成モードでは、レジストレーションロール５５から搬送ベルト２１に向かって供給経路Ｑ１に沿って送り出された用紙は、抑えロール２７１の搬送ベルト２１とは反対の側を通過する。この用紙は、供給経路Ｑ１と搬送ベルト２１が交わる位置Ｓ３で搬送ベルト２１に緩やかに接触した後、第２の位置にある吸着ロール２７２によって搬送ベルト２１に押付けられるとともに帯電させられ、搬送ベルト２１に密着する。
【００６２】
次に、本発明の第３実施形態について説明する。以下の第３実施形態の説明にあたっては、これまで説明してきた実施形態における各要素と同一の要素には同一の符号を付けて示し、前述の実施形態との相違点について説明する。
【００６３】
図１４は、本発明の第３実施形態のプリンタの概略構成を示す図である。
【００６４】
図１４に示すプリンタ３は、搬送ベルト２１に向けて用紙を供給する、用紙の供給方向と交わる方向に一列に並んで接した３つのレジストレーションロール３８１，３８２，３８３（以降、レジロール３８１，３８２，３８３と略称する）を有しており、また、３つのレジロール３８１〜３８３に用紙を供給する供給経路を切り替える経路切替部材３９１を有している。また、吸着ロール３７１は、従動ロール２３との間にベルトを挟む第１の位置に固定されており、移動機構が設けられていない。レジロール３８１，３８２，３８３は本発明の供給ロールの一例に相当する。第３実施形態のプリンタは、これらの点が第１実施形態とは異なる。第３実施形態における他の点は第１実施形態と同じである。
【００６５】
図１５は、図１４に示すプリンタのレジストレーションロールユニットの外観を示す斜視図である。
【００６６】
図１５に示すレジストレーションロールユニット３８０は、搬送ベルト２１に向けて用紙を供給するユニットであり、図４に示す支持フレームＵ１Ｆ内の下側部分に装着される。レジストレーションロールユニット３８０が本発明にいう用紙供給部の一例に相当する。３つのレジロール３８１〜３８３は、レジストレーションロールユニット３８０のユニットフレーム３８４に回転自在に支持されている。３つのレジロール３８１〜３８３のうち、カラー画像形成モードでは感光体ドラム１１ｋ〜１１ｙの側の２つの供給ロール３８１，３８２が用紙の供給を担当し、モノクロ画像形成モードでは感光体ドラム１１ｋ〜１１ｙから離れた側の２つの供給ロール３８２，３８３が用紙の供給を担当する。３つのレジロール３８１〜３８３のうち、両側にある２つのレジロール３８１，３８３は金属製であり、中央のレジロール３８２はゴム等弾性を有する樹脂製である。両側のレジロール３８１，３８３は、中央のレジロール３８２との間に挟まれる用紙が逃げない程度の強さで、中央のレジロール３８２に押し当てられている。中央のレジロール３８２は、クラッチ３８５およびベルト３８６を介しモータ３８７によって回転駆動される。モータ３８７は制御部３１（図１４参照）の制御に応じて正逆回転可能となっている。両側にある２つのレジロール３８１，３８３は従動ロールであり、中央のレジロール３８２の回転に従って、中央のレジロール３８２と逆向きに回転する。ユニットフレーム３８４には、レジロール３８１〜３８３に向けて用紙を搬送する搬送ロール５４も取り付けられている。レジロール３８１〜３８３の下部には、搬送ロール５４によって搬送されてきた用紙をレジロール３８１〜３８３に案内するガイド部材と経路切替部材が設けられている。
【００６７】
図１６は、図１５に示すレジストレーションロールユニットの内部構造を示す斜視図であり、図１７は、図１６に示す構造の側面図である。
【００６８】
図１６に示すように、レジロール３８１〜３８３の下方には、搬送ロール５４から搬送されてきた用紙の搬送経路を切り替える経路切替部材３９１と、経路切替部材３９１で経路が切り替えられた用紙をレジロールに向けて案内する３つの案内部材３９３，３９４，３９５が設けられている。経路切替部材３９１はユニットフレーム３８４に回転自在に支持されている。経路切替部材３９１の回転軸にはリンク部材を介してソレノイド３９２が接続されている。ソレノイド３９２が制御部３１（図３１参照）の制御に応じて動作することによって、経路切替部材３９１が回転し経路を切り替える。経路切替部材３９１は、図１７に示すように案内部材３９３，３９４の間を案内され、３つのレジロール３８１〜３８３のうち感光体ドラム１１ｋ〜１１ｙの側に配置された２つのレジロール３８１，３８２に向けて搬送する搬送経路と、案内部材３９３，３９５の間を案内され、感光体ドラム１１ｋ〜１１ｙから離れた側に配置された２つのレジロール３８２，３８３に向けて搬送する搬送経路との切替を行う。３つの案内部材３９３〜３９５のうち中央の案内部材３９４は、レジロール３８１〜３８３側の端が二股状に分かれた形状を有しており、この端が中央のレジロールの径よりも大きく広がっている。このため、レジロール３８１〜３８３に向かって供給されてくる用紙は、中央にある摩耗しやすい樹脂製のレジロール３８２を避け、両側にある金属製のレジロール３８１，３８３のいずれかにまず接触し、その後、レジロール３８２との間に挟まれる。
【００６９】
図１８は、図１４に示すプリンタのカラー画像形成モードにおける感光体ドラム、搬送ベルトおよびレジストレーションロールユニットの状態を示す図であり、図１９は、モノクロ画像形成モードにおける状態を示す図である。
【００７０】
図１８および図１９を参照して、３つのレジロール３８１〜３８３の配置についてより詳細に説明する。
【００７１】
３つのレジロール３８１〜３８３は、図１８に示すカラー画像形成モードで用紙の供給を担当する２つの供給ロール３８１，３８２が互いに接する第１の接触位置Ｓ１１からＹ色用転写ロール４０ｙまでの距離と、図１９に示すモノクロ画像形成モードで用紙の供給を担当する２つの供給ロール３８２，３８３が互いに接する第２の接触位置Ｓ１２からＹ色用転写ロール４０ｙまでの距離とが略等しい距離になる位置に配置されている。このため、カラー画像形成モードとモノクロ画像形成モードとで用紙上に画像が形成される位置のずれが抑えられる。
【００７２】
図１８に示すカラー画像形成モードでは、搬送ベルト２１が４つの感光体ドラム１１ｋ，１１ｃ，１１ｍ，１１ｙのすべてに接触させた状態になる。搬送ベルト２１のうち従動ロール２３の側が感光体ドラム１１ｙの側に移動する。ソレノイド３９２の駆動によって経路切替部材３９１が搬送経路を感光体ドラム１１ｙの側のレジロール３８１を経由する側に切り替える。また、中央のレジロール３８１がモータ３８７に駆動され矢印Ｄ３１で示す回転方向に回転し、両側にある２つのレジロール３８１，３８３は中央のレジロール３８２と逆向きの回転方向に回転する。搬送ロール５４（図１５参照）から搬送されてきた用紙は、経路切替部材３９１、および案内部材３９３，３９４によって、感光体ドラム１１ｙ側のレジロール３８１に案内される。レジロール３８１に接触した用紙は感光体ドラム１１ｙ側の２つのレジロール３８１，３８２の間に挟まれ、第１の接触位置Ｓ１１から搬送ベルト２１に向けて供給される。搬送ベルト２１に接触した用紙は、吸着ロール３７１によって帯電されるとともに搬送ベルト２１に押付けられ、搬送ベルト２１に密着する。用紙は搬送ベルト２１によって搬送方向Ｄ２１に搬送される。
【００７３】
図１９に示すモノクロ画像形成モードでは、搬送ベルト２１がＫ色用感光体ドラム１１ｋにのみ接触させるとともに他の感光体ドラム１１ｃ，１１ｍ，１１ｙから離間した状態になる。搬送ベルト２１のうち従動ロール２３の側が感光体ドラム１１ｙから離れた側に移動する。経路切替部材３９１が搬送経路を感光体ドラム１１ｙから離れたの側のレジロール３８３を経由する側に切り替える。また、中央のレジロール３８１がモータ３８７に駆動され、３つのレジロール３８１〜３８３はカラー画像形成モードとは逆向きの矢印Ｄ３２で示す回転方向に回転する。搬送ロール５４（図１５参照）から搬送されてきた用紙は、経路切替部材３９１、および案内部材３９３，３９５によって、感光体ドラム１１ｙから離れた側のレジロール３８３に案内される。レジロール３８３に接触した用紙は感光体ドラム１１ｙから離れた側の２つのレジロール３８２，３８３の間に挟まれ、第２の接触位置Ｓ１２から搬送ベルト２１に向けて供給される。搬送ベルト２１に接触した用紙は、吸着ロール３７１によって帯電されるとともに搬送ベルト２１に押付けられ、搬送ベルト２１に密着する。用紙は搬送ベルト２１によって搬送方向Ｄ２１に搬送される。
【００７４】
用紙の供給位置が搬送ベルト２１に傾動に合わせて調整され、変動が抑えられた進入姿勢で用紙が搬送ベルト２１に供給される。
【００７５】
なお、上述した実施形態では、ユニットフレーム２４を含むベルトユニット２０が、駆動ロール２２の回転軸２２ａを中心として画像形成装置本体Ｕ１に支持される例で説明したが、本発明はこれに限られるものではなく、例えば、ベルトが傾動する中心はＫ色用転写ロールの回転軸上であってもよく、また、Ｋ色用感光体ドラムの回転軸上であってもよい。
【００７６】
また、上述した実施形態では、用紙押さえ部２７０が抑えロール２７１および吸着ロール２７２の２つのロールを有している例で説明したが、本発明はこれに限られるものではなく、例えば、用紙押さえ部が２つの吸着ロールを有したものであってもよい。
【００７７】
また、上述した第３実施形態では、両側にある２つのレジロール３８１，３８３が金属製であり、中央のレジロール３８２は樹脂製である例で説明したが、本発明はこれに限られるものではなく、例えば、両側のレジロールが弾性を有する樹脂製で中央のレジロールが金属製であってもよい。
【００７８】
また、上述した第３実施形態では、３つのレジロール３８１〜３８３が、第１の接触位置Ｓ１１からＹ色用転写ロール４０ｙまでの距離と、第２の接触位置Ｓ１２からＹ色用転写ロール４０ｙまでの距離とが略等しい距離になる位置に配置されるものとして説明したが、本発明はこれに限られるものではなく、例えば、上述した２つの距離が等しくならない位置に３つのレジロールが配置され、これら２つの距離の違いに応じて、像保持体に画像を形成するタイミングが画像処理部３２や書込駆動回路３３（図１４）で調整されるものであってもよい。
【図面の簡単な説明】
【００７９】
【図１】本発明の第１実施形態であるプリンタの概略構成を示す図である。
【図２】図１に示すプリンタの開閉部材が開いた状態を示す図である。
【図３】図１に示すプリンタの開閉部材およびベルトユニットを示す斜視図である。
【図４】図１に示すプリンタの支持フレームを示す斜視図である。
【図５】図３に示すユニットフレームの外観を示す正面図である。
【図６】図５に示すユニットフレームの側面を示す図である。
【図７】図６に示すソレノイドおよびリンク部材の部分を拡大した拡大斜視図である。
【図８】モノクロ画像形成モードの位置における吸着ロールを示す拡大斜視図である。
【図９】カラー画像形成モードでの画像形成ユニット、ベルトユニットおよびカムの状態を示す図である。
【図１０】モノクロ画像形成モードでの画像形成ユニット、ベルトユニットおよびカムの状態を示す図である。
【図１１】本発明の第２実施形態のプリンタの開閉部材およびベルトユニットを示す斜視図である。
【図１２】第２実施形態におけるカラー画像形成モードでの画像形成ユニット、ベルトユニットおよびカムの状態を示す図である。
【図１３】第２実施形態におけるモノクロ画像形成モードでの画像形成ユニット、ベルトユニットおよびカムの状態を示す図である。
【図１４】本発明の第３実施形態のプリンタの概略構成を示す図である。
【図１５】図１４に示すプリンタのレジストレーションロールユニットの外観を示す斜視図である。
【図１６】図１５に示すレジストレーションロールユニットの内部構造を示す斜視図である。
【図１７】図１５に示すレジストレーションロールユニットの内部構造を示す側面図である。
【図１８】図１４に示すプリンタのカラー画像形成モードにおける感光体ドラム、搬送ベルトおよびレジストレーションロールユニットの状態を示す図である。
【図１９】モノクロ画像形成モードにおける感光体ドラム、搬送ベルトおよびレジストレーションロールユニットの状態を示す図である。
【符号の説明】
【００８０】
１，３    プリンタ（画像形成装置）
１１ｃ，１１ｍ，１１ｙ    感光体ドラム（像保持体）
１１ｋ    Ｋ色用感光体ドラム（Ｋ色用像保持体）
２０    ベルトユニット
２１    搬送ベルト（ベルト）
２２    駆動ロール（支持ロール）
２２ａ    回転軸
２３    従動ロール（支持ロール）
６１ａ，６１ｂ    カム
２４    ユニットフレーム（６１ａ，６１ｂと合わせてベルト傾動駆動部）
４０ｋ    Ｋ色用転写ロール（転写ロール）
４０ｃ，４０ｍ，４０ｙ    転写ロール（転写ロール）
５５    レジストレーションロール
７０    用紙押さえ部
７１，２７２，３７１    吸着ロール
７２    ソレノイド
７３    リンク部材（７２と合わせて移動機構）
３８０  レジストレーションロールユニット（用紙供給部）
３８１，３８２，３８３    レジストレーションロール
３９１    経路切替部材
３９３，３９４，３９５    案内部材
【図１】
2009069649.tif 000003
【図２】
2009069649.tif 000004
【図３】
2009069649.tif 000005
【図４】
2009069649.tif 000006
【図５】
2009069649.tif 000007
【図６】
2009069649.tif 000008
【図７】
2009069649.tif 000009
【図８】
2009069649.tif 000010
【図９】
2009069649.tif 000011
【図１０】
2009069649.tif 000012
【図１１】
2009069649.tif 000013
【図１２】
2009069649.tif 000014
【図１３】
2009069649.tif 000015
【図１４】
2009069649.tif 000016
【図１５】
2009069649.tif 000017
【図１６】
2009069649.tif 000018
【図１７】
2009069649.tif 000019
【図１８】
2009069649.tif 000020
【図１９】
2009069649.tif 000021